(57)【要約】【課題】本発明は簡単に密封できる野菜かごを開示した。【解決手段】外殻を含み、前記外殻の頂面にはリミットブロックが左右対称的に固定的に設置されており、前記外殻の中には上へ開口した第一空きチャンバが設置されており、前記第一空きチャンバの中には第一回転軸が左右対称的に回転できるように設置されている；本発明の簡単に密封できる野菜かごは反応が早く、機能が揃っており、簡単明瞭である；同時に、本発明の装置は野菜の鮮度を保つことができ、簡潔であり、実用性が高い。【選択図】図１
2020158200.tif 000002
【特許請求の範囲】
【請求項１】
外殻を含み、前記外殻の頂面にはリミットブロックが左右対称的に固定的に設置されており、前記外殻の中には上へ開口した第一空きチャンバが設置されており、前記第一空きチャンバの中には第一回転軸が左右対称的に回転できるように設置されており、前記第一回転軸にはギヤ及び前記ギヤの前側に位置しているリールが固定的に設置されており、前記第一回転軸と前記第一空きチャンバの前端壁との間には捻りばねが固定的に連結されており、前記第一空きチャンバの中には二つの前記ギヤの間に位置しているかご主体が設置されており、前記かご主体の頂面には取っ手が固定的に設置されており、前記かご主体には前記ギヤと噛み合っているラックが左右対称的に固定的に設置されており、前記かご主体の中には上へ開口した第二空きチャンバが設置されており、前記第二空きチャンバの中に野菜を置くことができ、前記第二空きチャンバには前記第一空きチャンバに連通している連通溝が左右対称的に設置されており、前記第二空きチャンバの後側端壁の中には前へ開口した第一スライドチャンバが左右対称的に設置されており、前記第一スライドチャンバの中には第一スライダがスライドできるように設置されており、前記第一スライダの中には第一スライド溝が左右に貫通して設置されており、前記第一スライド溝の中には前記連通溝の中に挿入されているスライド板  がスライドできるように設置されており、前記リールには前記スライド板と固定的に連結されている鋼線が巻きつけられており、前記第一スライド溝の底壁には上へ開口した凹溝が設置されており、前記凹溝の中には第二回転軸が回転できるように設置されており、前記第二回転軸には前記スライド板と接触しているローラが固定的に設置されており、前記第一スライド溝の頂壁には下へ開口した第二スライド溝が設置されており、前記第二スライド溝の中には前記スライド板と固定的に連結されている第二スライダがスライドできるように設置されており、前記第二スライダと前記第二スライド溝の内側端壁との間にはばねが固定的に連結されており、前記第二空きチャンバの左側底壁には前記第一空きチャンバに連通している第一抜き孔が設置されており、前記第二空きチャンバの右側底壁には前記第一空きチャンバに連通している第二抜き孔が設置されている；そのため、ラックがリールを連動させて鋼線を出し、同時に両側のスライド板が互いに近づいて第二空きチャンバを閉鎖することを特徴とする簡単に密封できる野菜かご。
【請求項２】
前記第一空きチャンバの底壁の中には第二スライドチャンバが設置されており、前記第二スライドチャンバと前記第一空きチャンバとの間には第三スライド溝が連通して設置されており、前記第三スライド溝の中には前記かご主体の底面と固定的に連結されている第一スライドロッドがスライドできるように設置されており、前記第二スライドチャンバの中の前記第一スライドロッドの末端にはピストンが固定的に設置されており、前記第二スライドチャンバの左端壁の中には上下に貫通している第四スライド溝が設置されており、前記第四スライド溝と前記第一抜き孔の中には前記第一スライダの底面に固定されている第二スライドロッドがスライドできるように設置されており、前記第四スライド溝の左端壁の中には逆止弁が設置されており、前記逆止弁には前記第二スライドチャンバに連通している第一流入溝が設置されており、前記第二スライドロッドの中には前記第一流入溝と前記第二空きチャンバとを連通できる工字形流入孔が設置されており、前記逆止弁の左端壁の中には水溝が設置されており、前記水溝と前記逆止弁との間には第二流入溝が連通して設置されている；これにより、第二スライドロッドが上へスライドして第二空きチャンバを第一流入溝と連通させ、同時にピストンが上へスライドして水を押して第一流入溝の中に入らせることを特徴とする請求項１に記載の簡単に密封できる野菜かご。
【請求項３】
前記第二スライドチャンバの右端壁の中には上下に貫通している第五スライド溝が設置されており、前記第五スライド溝と前記第二抜き孔の中には前記第一スライダの底面に固定されている第三スライドロッドがスライドできるように設置されており、前記第五スライド溝と前記外殻の外側には排水溝が連通して設置されており、前記第三スライドロッドの中には前記第二空きチャンバと前記排水溝とを連通できる工字形排水孔が設置されている；これにより、前記工字形排水孔が前記第一空きチャンバと前記排水溝とを連通させることができることを特徴とする請求項１に記載の簡単に密封できる野菜かご。
【発明の詳細な説明】
【技術分野】
【０００１】
本発明はキッチン用品分野を取り上げて、具体的には簡単に密封できる野菜かごである。
【背景技術】
【０００２】
朝出かけて野菜を買う時、野菜市場から家に帰るこの時間帯に野菜の鮮度を保つ必要があり、野菜が日差しの直射を受けることを避け、同時に野菜に水分を補給する必要があり；また、野菜かごが軽くて携帯しやすいほうがいい；そのため、簡単に密封できる野菜かごを設計して上記の問題を解決することが必要である。
【先行技術文献】
【特許文献】
【０００３】
【特許文献１】中国特許出願公開第１０４９８６４１３号明細書
【発明の概要】
【発明が解決しようとする課題】
【０００４】
本発明は簡単に密封できる野菜かごを提供し、従来技術における上記問題を解決することを目的とする。
【課題を解決するための手段】
【０００５】
本発明は以下の技術プランにより実現される：本発明の簡単に密封できる野菜かごは、外殻を含み、前記外殻の頂面にはリミットブロックが左右対称的に固定的に設置されており、前記外殻の中には上へ開口した第一空きチャンバが設置されており、前記第一空きチャンバの中には第一回転軸が左右対称的に回転できるように設置されており、前記第一回転軸にはギヤ及び前記ギヤの前側に位置しているリールが固定的に設置されており、前記第一回転軸と前記第一空きチャンバの前端壁との間には捻りばねが固定的に連結されており、前記第一空きチャンバの中には二つの前記ギヤの間に位置しているかご主体が設置されており、前記かご主体の頂面には取っ手が固定的に設置されており、前記かご主体には前記ギヤと噛み合っているラックが左右対称的に固定的に設置されており、前記かご主体の中には上へ開口した第二空きチャンバが設置されており、前記第二空きチャンバの中に野菜を置くことができ、前記第二空きチャンバには前記第一空きチャンバに連通している連通溝が左右対称的に設置されており、前記第二空きチャンバの後側端壁の中には前へ開口した第一スライドチャンバが左右対称的に設置されており、前記第一スライドチャンバの中には第一スライダがスライドできるように設置されており、前記第一スライダの中には第一スライド溝が左右に貫通して設置されており、前記第一スライド溝の中には前記連通溝の中に挿入されているスライド板  がスライドできるように設置されており、前記リールには前記スライド板と固定的に連結されている鋼線が巻きつけられており、前記第一スライド溝の底壁には上へ開口した凹溝が設置されており、前記凹溝の中には第二回転軸が回転できるように設置されており、前記第二回転軸には前記スライド板と接触しているローラが固定的に設置されており、前記第一スライド溝の頂壁には下へ開口した第二スライド溝が設置されており、前記第二スライド溝の中には前記スライド板と固定的に連結されている第二スライダがスライドできるように設置されており、前記第二スライダと前記第二スライド溝の内側端壁との間にはばねが固定的に連結されており、前記第二空きチャンバの左側底壁には前記第一空きチャンバに連通している第一抜き孔が設置されており、前記第二空きチャンバの右側底壁には前記第一空きチャンバに連通している第二抜き孔が設置されている。
【０００６】
好ましくは、前記第一空きチャンバの底壁の中には第二スライドチャンバが設置されており、前記第二スライドチャンバと前記第一空きチャンバとの間には第三スライド溝が連通して設置されており、前記第三スライド溝の中には前記かご主体の底面と固定的に連結されている第一スライドロッドがスライドできるように設置されており、前記第二スライドチャンバの中の前記第一スライドロッドの末端にはピストンが固定的に設置されており、前記第二スライドチャンバの左端壁の中には上下に貫通している第四スライド溝が設置されており、前記第四スライド溝と前記第一抜き孔の中には前記第一スライダの底面に固定されている第二スライドロッドがスライドできるように設置されており、前記第四スライド溝の左端壁の中には逆止弁が設置されており、前記逆止弁には前記第二スライドチャンバに連通している第一流入溝が設置されており、前記第二スライドロッドの中には前記第一流入溝と前記第二空きチャンバとを連通できる工字形流入孔が設置されており、前記逆止弁の左端壁の中には水溝が設置されており、前記水溝と前記逆止弁との間には第二流入溝が連通して設置されている。
【０００７】
好ましくは、前記第二スライドチャンバの右端壁の中には上下に貫通している第五スライド溝が設置されており、前記第五スライド溝と前記第二抜き孔の中には前記第一スライダの底面に固定されている第三スライドロッドがスライドできるように設置されており、前記第五スライド溝と前記外殻の外側には排水溝が連通して設置されており、前記第三スライドロッドの中には前記第二空きチャンバと前記排水溝とを連通できる工字形排水孔が設置されている。
【発明の効果】
【０００８】
以上により、本発明の簡単に密封できる野菜かごは反応が早く、機能が揃っており、簡単明瞭である；同時に、本発明の装置は野菜の鮮度を保つことができ、簡潔であり、実用性が高い。
【図面の簡単な説明】
【０００９】
便利しやすいために、本発明は以下の具体的な実施例及び付図により詳しく説明する。
【００１０】
【図１】図１は本発明の簡単に密封できる野菜かごの全体構成模式図である；
【図２】図２は図１の中のＡの拡大構成模式図である。
【図３】図３は図１の平面図である。
【図４】図４は図１の中のＢの拡大構成模式図である。
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下に図１〜４を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜４を参照し、本発明の簡単に密封できる野菜かごは、外殻１１を含み、前記外殻１１の頂面にはリミットブロック１０が左右対称的に固定的に設置されており、前記外殻１１の中には上へ開口した第一空きチャンバ１２が設置されており、前記第一空きチャンバ１２の中には第一回転軸１６が左右対称的に回転できるように設置されており、前記第一回転軸１６にはギヤ１３及び前記ギヤ１３の前側に位置しているリール１４が固定的に設置されており、前記第一回転軸１６と前記第一空きチャンバ１２の前端壁との間には捻りばね１５が固定的に連結されており、前記第一空きチャンバ１２の中には二つの前記ギヤ１３の間に位置しているかご主体１７が設置されており、前記かご主体１７の頂面には取っ手３６が固定的に設置されており、前記かご主体１７には前記ギヤ１３と噛み合っているラック１８が左右対称的に固定的に設置されており、前記かご主体１７の中には上へ開口した第二空きチャンバ３５が設置されており、前記第二空きチャンバ３５の中に野菜３４を置くことができ、前記第二空きチャンバ３５には前記第一空きチャンバ１２に連通している連通溝３７が左右対称的に設置されており、前記第二空きチャンバ３５の後側端壁の中には前へ開口した第一スライドチャンバ４０が左右対称的に設置されており、前記第一スライドチャンバ４０の中には第一スライダ４３がスライドできるように設置されており、前記第一スライダ４３の中には第一スライド溝４７が左右に貫通して設置されており、前記第一スライド溝４７の中には前記連通溝３７の中に挿入されているスライド板３８  がスライドできるように設置されており、前記リール１４には前記スライド板３８と固定的に連結されている鋼線３９が巻きつけられており、前記第一スライド溝４７の底壁には上へ開口した凹溝４４が設置されており、前記凹溝４４の中には第二回転軸４５が回転できるように設置されており、前記第二回転軸４５には前記スライド板３８と接触しているローラ４６が固定的に設置されており、前記第一スライド溝４７の頂壁には下へ開口した第二スライド溝５０が設置されており、前記第二スライド溝５０の中には前記スライド板３８と固定的に連結されている第二スライダ４９がスライドできるように設置されており、前記第二スライダ４９と前記第二スライド溝５０の内側端壁との間にはばね４８が固定的に連結されており、前記第二空きチャンバ３５の左側底壁には前記第一空きチャンバ１２に連通している第一抜き孔１９が設置されており、前記第二空きチャンバ３５の右側底壁には前記第一空きチャンバ１２に連通している第二抜き孔３２が設置されている。
【００１４】
有益的には、前記第一空きチャンバ１２の底壁の中には第二スライドチャンバ２５が設置されており、前記第二スライドチャンバ２５と前記第一空きチャンバ１２との間には第三スライド溝３０が連通して設置されており、前記第三スライド溝３０の中には前記かご主体１７の底面と固定的に連結されている第一スライドロッド２６がスライドできるように設置されており、前記第二スライドチャンバ２５の中の前記第一スライドロッド２６の末端にはピストン２７が固定的に設置されており、前記第二スライドチャンバ２５の左端壁の中には上下に貫通している第四スライド溝２４が設置されており、前記第四スライド溝２４と前記第一抜き孔１９の中には前記第一スライダ４３の底面に固定されている第二スライドロッド４２がスライドできるように設置されており、前記第四スライド溝２４の左端壁の中には逆止弁２１が設置されており、前記逆止弁２１には前記第二スライドチャンバ２５に連通している第一流入溝２２が設置されており、前記第二スライドロッド４２の中には前記第一流入溝２２と前記第二空きチャンバ３５とを連通できる工字形流入孔４１が設置されており、前記逆止弁２１の左端壁の中には水溝２０が設置されており、前記水溝２０と前記逆止弁２１との間には第二流入溝２３が連通して設置されている。
【００１５】
有益的には、前記第二スライドチャンバ２５の右端壁の中には上下に貫通している第五スライド溝２８が設置されており、前記第五スライド溝２８と前記第二抜き孔３２の中には前記第一スライダ４３の底面に固定されている第三スライドロッド３３がスライドできるように設置されており、前記第五スライド溝２８と前記外殻１１の外側には排水溝２９が連通して設置されており、前記第三スライドロッド３３の中には前記第二空きチャンバ３５と前記排水溝２９とを連通できる工字形排水孔３１が設置されている。
【００１６】
以下、出願人は付図１−４及び上記の本出願の簡単に密封できる野菜かごの具体的な構成を参照してその使用方法を詳しく紹介する：
【００１７】
まず、初期状態にある時、工字形流入孔４１の頂端が第二空きチャンバ３５の中に終始位置しており、両側のスライド板３８が互いに近づかない；
【００１８】
野菜３４を第二空きチャンバ３５の中に置き、取っ手３６を持ち上げ、取っ手３６がかご主体１７を連動させて外殻１１に対して上へスライドさせ、かご主体１７が上へスライドする時、ラック１８がギヤ１３とリール１４とを連動させて回転させ、これにより鋼線３９が伸ばされ、スライド板３８と第二スライダ４９とがばね４８の引っ張り力のもとで内側へスライドでき、両端のスライド板３８が内側へスライドして接触し、それにより第二空きチャンバ３５を閉鎖する；
【００１９】
かご主体１７が継続して上へスライドする時、スライド板３８が野菜３４と接触し、スライド板３８が連通溝３７の底壁と接触し、かご主体１７がスライド板３８を連動させて上へスライドさせ、スライド板３８が第二スライドロッド４２と第三スライドロッド３３とを連動させて外殻１１に対して上へスライドさせ、これにより、工字形排水孔３１により第二空きチャンバ３５と排水溝２９とが連通されなくなり、同時に工字形流入孔４１により第一流入溝２２と第二空きチャンバ３５とが連通され、かご主体１７が第一スライドロッド２６とピストン２７とを連動させて上へスライドさせ、ピストン２７により水が第一流入溝２２と工字形流入孔４１を通して第二空きチャンバ３５の中に入り込む；
【００２０】
取っ手３６を持ち上げない時、かご主体１７が重力の作用のもとで最初の位置に戻り、工字形排水孔３１により第二空きチャンバ３５と排水溝２９とが再び連通され、排水を行い、同時にピストン２７が下へスライドし、水溝２０の中の水が逆止弁２１を通して第二スライドチャンバ２５の中に入り込む。
【００２１】
以上により、本発明の簡単に密封できる野菜かごは反応が早く、機能が揃っており、簡単明瞭である；同時に、本発明の装置は野菜の鮮度を保つことができ、簡潔であり、実用性が高い。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020158200.tif 000003
【図２】
2020158200.tif 000004
【図３】
2020158200.tif 000005
【図４】
2020158200.tif 000006